(57)【特許請求の範囲】
【請求項１】
子機（１）の子機マイク（１１）及び子機スピーカ（１２）と親機（２）の親機マイク（２１）及び親機スピーカ（２２）との間で伝送路（Ｌ）を経由して音声信号を送受信して通話を成立させるインターホンシステムであって、
前記子機は、前記伝送路を経由して前記親機との間で通話を成立させる際、送話音声の信号レベルと受話音声の信号レベルとを比較して送話状態又は受話状態の切り換えを行うための子機ボイススイッチ（１３）と、前記伝送路の２線間による回線エコーを低減し、その低減量を補正するための子機減衰量補正部（１４）とを備え、
前記子機減衰量補正部は、前記伝送路の線間容量及び配線抵抗に起因して前記子機マイクに入力された音声信号の逆特性信号を生成するための逆特性信号発生回路（１４０）と、前記子機スピーカから出力させる音声信号に前記逆特性信号を加算するための加算回路（１４２）とを有することを特徴とするインターホンシステム。
【請求項２】
子機（１）の子機マイク（１１）及び子機スピーカ（１２）と親機（２）の親機マイク（２１）及び親機スピーカ（２２）との間で伝送路（Ｌ）を経由して音声信号を送受信して通話を成立させるインターホンシステムであって、
前記親機は、前記伝送路を経由して前記子機との間で通話を成立させる際、送話音声の信号レベルと受話音声の信号レベルとを比較して送話状態又は受話状態の切り換えを行うための親機ボイススイッチ（２３）と、前記伝送路の２線間による回線エコーを低減し、その低減量を補正するための親機減衰量補正部（２４）とを備え、
前記親機減衰量補正部は、前記伝送路の線間容量及び配線抵抗に起因して前記親機マイクに入力された音声信号の逆特性信号を生成するための逆特性信号発生回路（２４０）と、前記親機スピーカから出力させる音声信号に前記逆特性信号を加算するための加算回路（２４２）とを有することを特徴とするインターホンシステム。
【請求項３】
前記逆特性信号発生回路は、前記音声信号が有する周波数特性のピークの逆特性を生成するための周波数補正回路（１４０ａ、２４０ａ）、前記音声信号の位相を遅延させるための位相補正回路（１４０ｂ、２４０ｂ）及び前記音声信号に歪みを発生させるための歪み補正回路（１４０ｃ、２４０ｃ）のうち少なくとも何れか１の当該回路を備え、
前記減衰量補正部は、前記周波数補正回路、前記位相補正回路及び前記歪み補正回路のうち少なくとも何れか１の当該回路からの逆特性信号を調整して前記加算回路に送出するためのレベル調整回路（１４１、２４１）を有することを特徴とする請求項１又は請求項２記載のインターホンシステム。
【請求項４】
前記周波数補正回路にて生成する逆特性、前記位相補正回路にて遅延させる位相角、前記歪み補正回路にて発生させる歪みの歪み量及び前記レベル調整回路における調整レベルを、前記伝送路の線間容量及び配線抵抗に対応して可変するための回線検出部（１５、２５）を備えることを特徴とする請求項３記載のインターホンシステム。
【発明の詳細な説明】
【技術分野】
【０００１】
本発明は、伝送路を経由して接続される子機及び親機の間で音声信号を送受信して通話を成立させるインターホンシステムに係り、特に、伝送路の２線間による回線エコーの影響を低減させて良好な通話品質を確保したインターホンシステムに関する。
【背景技術】
【０００２】
従来から、受話器を有さず、スピーカ及びマイクを用いて通話を行う拡声通話の双方向通信をシステムとして、ボイススイッチ方式とエコーキャンセラ方式とを併用し、全２重に近い通信を安定して行うことのできる拡声通話装置が開示されている（例えば、特許文献１を参照。）。
【０００３】
この拡声通話装置によれば、マイクから回線への出力信号による回線エコーを、エコーキャンセラを用いて除去し、当該回線エコーに対して設定された所定の回線エコー閾値に基づいてボイススイッチの動作を切り換えることができる。
【先行技術文献】
【特許文献】
【０００４】
【特許文献１】特開平１０−１９０５３３号公報
【発明の概要】
【発明が解決しようとする課題】
【０００５】
しかしながら、背景技術に記載した特許文献１の拡声通話装置によれば、回線エコーの影響を低減させて良好な通話品質を確保するにあたっては、ボイススイッチ方式とエコーキャンセラ方式とを併用し、これらを協調させなければならず、その回路構成が複雑となるばかりでなく、協調動作が煩雑となる難点があった。
【０００６】
本発明は、この難点を解消するためになされたもので、伝送路を経由して接続される子機及び親機の間で音声信号を送受信して通話を成立させるにあたり、エコーキャンセラを使用せずとも伝送路の２線間による回線エコーを低減して良好な通話品質を確保することができるインターホンシステムを提供することを目的としている。
【課題を解決するための手段】
【０００７】
前述の目的を達成するため、本発明の第１の態様であるインターホンシステムは、子機の子機マイク及び子機スピーカと親機の親機マイク及び親機スピーカとの間で伝送路を経由して音声信号を送受信して通話を成立させる当該システムである。子機は、伝送路を経由して親機との間で通話を成立させる際、送話音声の信号レベルと受話音声の信号レベルとを比較して送話状態又は受話状態の切り換えを行うための子機ボイススイッチと、伝送路の２線間による回線エコーを低減し、その低減量を補正するための子機減衰量補正部とを備えている。子機減衰量補正部は、伝送路の線間容量及び配線抵抗に起因して子機マイクに入力された音声信号の逆特性信号を生成するための逆特性信号発生回路と、子機スピーカから出力させる音声信号に逆特性信号を加算するための加算回路とを有している。
【０００８】
また、本発明の第２の態様であるインターホンシステムは、子機の子機マイク及び子機スピーカと親機の親機マイク及び親機スピーカとの間で伝送路を経由して音声信号を送受信して通話を成立させる当該システムである。親機は、伝送路を経由して子機との間で通話を成立させる際、送話音声の信号レベルと受話音声の信号レベルとを比較して送話状態又は受話状態の切り換えを行うための親機ボイススイッチと、伝送路の２線間による回線エコーを低減し、その低減量を補正するための親機減衰量補正部とを備えている。親機減衰量補正部は、伝送路の線間容量及び配線抵抗に起因して親機マイクに入力された音声信号の逆特性信号を生成するための逆特性信号発生回路と、親機スピーカから出力させる音声信号に逆特性信号を加算するための加算回路とを有している。
【０００９】
また、本発明の第３の態様であるインターホンシステムは、本発明の第１の態様又は第２の態様において、逆特性信号発生回路は、音声信号が有する周波数特性のピークの逆特性を生成するための周波数補正回路、音声信号の位相を遅延させるための位相補正回路及び音声信号に歪みを発生させるための歪み補正回路のうち少なくとも何れか１の当該回路を備えている。減衰量補正部は、周波数補正回路、位相補正回路及び歪み補正回路のうち少なくとも何れか１の当該回路からの逆特性信号を調整して加算回路に送出するためのレベル調整回路を有している。
【００１０】
また、本発明の第４の態様であるインターホンシステムは、本発明の第３の態様において、周波数補正回路にて生成する逆特性、位相補正回路にて遅延させる位相角、歪み補正回路にて発生させる歪みの歪み量及びレベル調整回路における調整レベルを、伝送路の線間容量及び配線抵抗に対応して可変するための回線検出部を備えている。
【発明の効果】
【００１１】
本発明のインターホンシステムによれば、伝送路を経由して接続される子機の子機マイク及び子機スピーカと親機の親機マイク及び親機スピーカとの間で音声信号を送受信して通話を成立させるにあたって、伝送路の線間容量及び配線抵抗に起因して子機マイク／親機マイクに入力された音声信号の逆特性信号を生成し、この逆特性信号と子機スピーカ／親機スピーカから出力させる音声信号とを加算することにより、伝送路の２線間による回線エコーの影響を低減でき、良好な通話品質が確保される。
【図面の簡単な説明】
【００１２】
【図１】図１は、本発明の実施例によるインターホンシステムの具体的な構成を示すブロック図である。
【図２】図２（Ａ）、（Ｂ）、（Ｃ）はそれぞれ、本発明の実施例によるインターホンシステムにおいて適用される信号処理の一例を示す説明図である。
【発明を実施するための形態】
【００１３】
以下、本発明のインターホンシステムを適用した最良の実施の形態例について、図面を参照して説明する。
【００１４】
図１は、本発明の実施例によるインターホンシステムの具体的な構成を示す回路ブロック図であり、伝送路Ｌを経由して接続される子機１及び親機２で構成されている。
【００１５】
子機１は、子機操作部１０、子機マイク１１、子機スピーカ１２、子機ボイススイッチ１３、子機減衰量補正部１４、子機回線検出部１５、子機送受信部１６及び子機制御部１７が備えられている。
【００１６】
この子機１において、子機操作部１０は、当該子機の使用者が親機２の使用者を呼び出すための操作（呼出操作）を行うとともに、当該子機の使用者が親機２の使用者からの呼び出しに応答して通話を成立させるための操作（応答操作）と、成立中の通話を終了するための操作（終話操作）とをそれぞれ行うにあたり、子機制御部１７によって操作検出されるものである。
【００１７】
子機マイク１１及び子機スピーカ１２は、子機１の使用者が親機２の使用者との間で通話を成立させるための子機音声（送話音声、受話音声）信号を入出力するものである。この子機スピーカ１２は、前述の通話機能のみならず、親機２の使用者からの呼び出しがあることを、子機制御部１７の制御によって音響出力することができる。
【００１８】
子機ボイススイッチ１３は、伝送路Ｌを経由して親機２との間で通話を成立させる際、送話音声の信号レベルと受話音声の信号レベルとを比較して送話状態又は受話状態の切り換えを行うためのものである。
【００１９】
子機減衰量補正部１４は、伝送路Ｌの２線間による回線エコーを低減し、その低減量を補正するためのものである。この子機減衰量補正部１４は、伝送路Ｌの線間容量及び配線抵抗に起因して子機マイク１１に入力される子機音声信号の逆特性信号を生成するための逆特性信号発生回路１４０を構成し、当該子機音声信号が有する周波数特性のピークの逆特性を生成するための周波数補正回路１４０ａ、当該子機音声信号の位相を遅延させるための位相補正回路１４０ｂ及び当該子機音声信号に歪みを発生させるための歪み補正回路１４０ｃのうち少なくとも何れか１の当該回路、ここでは、全ての回路１４０ａ、１４０ｂ、１４０ｃと、逆特性信号発生回路１４０を構成する周波数補正回路１４０ａ、位相補正回路１４０ｂ及び歪み補正回路１４０ｃのうち少なくとも何れか１の当該回路からの出力信号、ここでは、全ての回路１４０ａ、１４０ｂ、１４０ｃからの出力である逆特性信号をそれぞれ調整するためのレベル調整回路１４１と、子機スピーカ１２から出力させる子機音声信号にレベル調整回路１４１からの出力である逆特性信号を加算するための加算回路１４２とを有している。
【００２０】
子機回線検出部１５は、子機減衰量補正部１４の逆特性信号発生回路１４０を構成する周波数補正回路１４０ａにて生成する逆特性、位相補正回路１４０ｂにて遅延させる位相角、歪み補正回路１４０ｃにて発生させる歪みの歪み量及びレベル調整回路１４１における調整レベル（調整の割合）を、伝送路Ｌの線間容量及び配線抵抗に対応して可変するためのものである。
【００２１】
子機送受信部１６は、子機減衰量補正部１４及び伝送路Ｌの間の信号伝送ラインと、子機制御部１７及び伝送路Ｌの間の信号伝送ラインとをそれぞれ形成するためのものである。また、子機制御部１７は、子機１の構成各部を制御するためのものである。
【００２２】
次に、親機２は、親機操作部２０、親機マイク２１、親機スピーカ２２、親機ボイススイッチ２３、親機減衰量補正部２４、親機回線検出部２５、親機送受信部２６及び親機制御部２７が備えられている。
【００２３】
この親機２において、親機操作部２０は、当該親機の使用者が子機１の使用者を呼び出すための操作（呼出操作）を行うとともに、当該親機の使用者が子機１の使用者からの呼び出しに応答して通話を成立させるための操作（応答操作）と、成立中の通話を終了するための操作（終話操作）とをそれぞれ行うにあたり、親機制御部２７によって操作検出されるものである。
【００２４】
親機マイク２１及び親機スピーカ２２は、親機２の使用者が子機１の使用者との間で通話を成立させるための親機音声（送話音声、受話音声）信号を入出力するものである。この親機スピーカ２２は、前述の通話機能のみならず、子機１の使用者からの呼び出しがあることを、親機制御部２７の制御によって音響出力することができる。
【００２５】
親機ボイススイッチ２３は、伝送路Ｌを経由して子機１との間で通話を成立させる際、送話音声の信号レベルと受話音声の信号レベルとを比較して送話状態又は受話状態の切り換えを行うためのものである。
【００２６】
親機減衰量補正部２４は、伝送路Ｌの２線間による回線エコーを低減し、その低減量を補正するためのものである。この親機減衰量補正部２４は、伝送路Ｌの線間容量及び配線抵抗に起因して親機マイク２１に入力される親機音声信号の逆特性信号を生成するための逆特性信号発生回路２４０を構成し、当該親機音声信号が有する周波数特性のピークの逆特性を生成するための周波数補正回路２４０ａ、当該親機音声信号の位相を遅延させるための位相補正回路２４０ｂ及び当該親機音声信号に歪みを発生させるための歪み補正回路２４０ｃのうち少なくとも何れか１の当該回路、ここでは、全ての回路２４０ａ、２４０ｂ、２４ｃと、逆特性信号発生回路２４０を構成する周波数補正回路２４０ａ、位相補正回路２４０ｂ及び歪み補正回路２４０ｃのうち少なくとも何れか１の当該回路からの出力信号、ここでは、全ての回路２４０ａ、２４０ｂ、２４０ｃからの出力である逆特性信号をそれぞれ調整するためのレベル調整回路２４１と、親機スピーカ２２から出力させる親機音声信号にレベル調整回路２４１からの出力である逆特性信号を加算するための加算回路２４２とを有している。
【００２７】
親機回線検出部２５は、親機減衰量補正部２４の逆特性信号発生回路２４０を構成する周波数補正回路２４０ａにて生成する逆特性、位相補正回路２４０ｂにて遅延させる位相角、歪み補正回路２４０ｃにて発生させる歪みの歪み量及びレベル調整回路２４１における調整レベル（調整の割合）を、伝送路Ｌの線間容量及び配線抵抗に対応して可変するためのものである。
【００２８】
親機送受信部２６は、親機減衰量補正部２４及び伝送路Ｌの間の信号伝送ラインと、親機制御部２７及び伝送路Ｌの間の信号伝送ラインとをそれぞれ形成するためのものである。また、親機制御部２７は、親機２の構成各部を制御するためのものである。
【００２９】
このように構成された本発明の実施例によるインターホンシステムにおいて、以下、具体的な動作について、図１及び図２（Ａ）、（Ｂ）、（Ｃ）の説明図をそれぞれ参照して説明する。
【００３０】
図１に示す親機２の使用者を呼び出すにあたり、子機１の使用者が子機操作部１０を使用して所定の呼出操作を行うと、この操作を検出した子機制御部１７は、呼出信号Ｓ1を生成し、子機送受信部１６、伝送路Ｌ、親機２の親機送受信部２６を経由して親機制御部２７に送出する。
【００３１】
親機２の親機制御部２７は、子機１からの呼出信号Ｓ1を受信すると、子機１の使用者による呼び出しがあったことを検出し、その旨の呼出音や音声メッセージ等を親機スピーカ２２から音響出力させて呼出報知を行うことができる。
【００３２】
この後、前述の呼出報知を確認した親機２の使用者が親機操作部２０を使用して所定の応答操作を行うと、当該操作を検出した親機制御部２７は、親機ボイススイッチ２３、親機減衰量補正部２４及び親機回線検出部２５がそれぞれ能動となるように制御するとともに、応答信号Ｓ2を生成し、前述の呼出信号Ｓ1と逆の信号伝送ラインを経由して子機１の子機制御部１７に送出する。
【００３３】
子機１の子機制御部１７は、親機２からの応答信号Ｓ2を受信すると、親機２の使用者による応答があったことを検出し、子機ボイススイッチ１３、子機減衰量補正部１４及び子機回線検出部１５がそれぞれ能動となるように制御する。
【００３４】
次に、子機１の使用者が親機２の使用者との間で通話を成立させるにあたり、子機マイク１１に入力した送話音声である子機音声信号Ｓ10は、子機ボイススイッチ１３を経由して子機減衰量補正部１４の逆特性信号発生回路１４０を構成する周波数補正回路１４０ａ、位相補正回路１４０ｂ及び歪み補正回路１４０ｃにそれぞれ伝送されるとともに、同様の子機ボイススイッチ１３、子機送受信部１６を経由して伝送路Ｌに送出される。
【００３５】
なお、子機１の子機送受信部１６を経由して伝送路Ｌに送出された子機音声信号Ｓ10は、親機２の親機送受信部２６、親機減衰量補正部２４の加算回路２４２を経由して親機ボイススイッチ２３に伝送されるものの、このとき、親機２の使用者による親機マイク２１への音声入力がなければ、良好な通話品質の受話音声信号Ｓ10として親機スピーカ２２から出力されることになる。
【００３６】
一方、子機１の子機送受信部１６を経由して伝送路Ｌに送出された子機音声信号Ｓ10は、伝送路Ｌの線間容量及び配線抵抗に起因して子機ボイススイッチ１３に回線帰還音声信号Ｓ10aとしてフィードバックされるため、この回線帰還音声信号Ｓ10aの信号レベルが子機音声信号Ｓ10の信号レベルと比較して大きいと、回線帰還音声信号Ｓ10aが子機スピーカ１２から出力されてしまい、子機１において良好な通話品質を確保できない虞がある。
【００３７】
そこで、子機１の子機制御部１７は、子機減衰量補正部１４の逆特性信号発生回路１４０を制御するにあたり、子機ボイススイッチ１３を経由して子機マイク１１から伝送されてきた子機音声信号Ｓ10について、この子機音声信号Ｓ10が有する周波数特性のピークの逆特性を周波数補正回路１４０ａにて生成する第１の信号処理、この子機音声信号Ｓ10の位相を位相補正回路１４０ｂにて遅延させる第２の信号処理、及び、この子機音声信号Ｓ10に対し歪み補正回路１４０ｃにて歪みを発生させる第３の信号処理のうち、少なくとも何れか１の信号処理を実行させ、例えば、図２（Ａ）、（Ｂ）、（Ｃ）にそれぞれ示すように、それらの出力である逆特性信号Ｓ140a、Ｓ140b、Ｓ140cを生成する。
【００３８】
また、子機１において、子機減衰量補正部１４のレベル調整回路１４１は、逆特性信号発生回路１４０を構成する周波数補正回路１４０ａ、位相補正回路１４０ｂ及び歪み補正回路１４ｃのうち少なくとも何れか１の当該回路からの逆特性信号Ｓ140a、Ｓ140b、Ｓ140cについて、レベル調整を行った後、加算回路１４２に送出する。
【００３９】
さらに、子機１において、子機減衰量補正部１４の加算回路１４２は、子機送受信部１６を経由してフィードバックされた回線帰還音声信号Ｓ10aと、レベル調整回路１４１からの出力である逆特性信号Ｓ140a、Ｓ140b、Ｓ140cとを加算して子機ボイススイッチ１３に送出することにより、子機減衰量補正部１４を経由して信号処理された回線帰還音声信号Ｓ10aの信号レベルは、子機音声信号Ｓ10の信号レベルと比較して十分に小さいものとなるため、この回線帰還音声信号Ｓ10aが子機スピーカ１２から出力されることはなく、伝送路Ｌの２線間による回線エコーを低減することができ、子機１において良好な通話品質が確保される。
【００４０】
なお、子機１において、子機減衰量補正部１４の逆特性信号発生回路１４０を構成する周波数補正回路１４０ａにて生成する逆特性、位相補正回路１４０ｂにて遅延させる位相角、歪み補正回路１４０ｃにて発生させる歪みの歪み量及びレベル調整回路１４１における調整レベルは、伝送路Ｌの線間容量及び配線抵抗に対応して容易に可変することができるため、子機１の設置場所として、通話を成立させる多種・多様な環境下に対応可能となる。
【００４１】
次に、親機２の使用者が子機１の使用者との間で通話を成立させるにあたり、親機マイク２１に入力した送話音声である親機音声信号Ｓ20は、親機ボイススイッチ２３を経由して親機減衰量補正部２４の逆特性信号発生回路２４０を構成する周波数補正回路２４０ａ、位相補正回路２４０ｂ及び歪み補正回路２４０ｃにそれぞれ伝送されるとともに、同様の親機ボイススイッチ２３、親機送受信部２６を経由して伝送路Ｌに送出される。
【００４２】
なお、親機２の親機送受信部２６を経由して伝送路Ｌに送出された親機音声信号Ｓ20は、子機１の子機送受信部１６、子機減衰量補正部１４の加算回路１４２を経由して子機ボイススイッチ１３に伝送されるものの、このとき、子機１の使用者による子機マイク１１への音声入力がなければ、良好な通話品質の受話音声信号Ｓ20として子機スピーカ１２から出力されることになる。
【００４３】
一方、親機２の親機送受信部２６を経由して伝送路Ｌに送出された親機音声信号Ｓ20は、伝送路Ｌの線間容量及び配線抵抗に起因して親機ボイススイッチ２３に回線帰還音声信号Ｓ20aとしてフィードバックされるため、この回線帰還音声信号Ｓ20aの信号レベルが親機音声信号Ｓ20の信号レベルと比較して大きいと、回線帰還音声信号Ｓ20aが親機スピーカ２２から出力されてしまい、親機２において良好な通話品質を確保できない虞がある。
【００４４】
そこで、親機２の親機制御部２７は、親機減衰量補正部２４の逆特性信号発生回路２４０を制御するにあたり、親機ボイススイッチ２３を経由して親機マイク２１から伝送されてきた親機音声信号Ｓ20について、この親機音声信号Ｓ20が有する周波数特性のピークの逆特性を周波数補正回路２４０ａにて生成する第１の信号処理、この親機音声信号Ｓ20の位相を位相補正回路２４０ｂにて遅延させる第２の信号処理、及び、この親機音声信号Ｓ20に対し歪み補正回路２４０ｃにて歪みを発生させる第３の信号処理のうち、少なくとも何れか１の信号処理を実行させ、例えば、図２（Ａ）、（Ｂ）、（Ｃ）にそれぞれ示すように、それらの出力である逆特性信号Ｓ240a、Ｓ240b、Ｓ240cを生成する。
【００４５】
また、親機２において、親機減衰量補正部２４のレベル調整回路２４１は、逆特性信号発生回路２４０を構成する周波数補正回路２４０ａ、位相補正回路２４０ｂ及び歪み補正回路２４０ｃのうち少なくとも何れか１の当該回路からの逆特性信号Ｓ240a、Ｓ240b、Ｓ240cについて、レベル調整を行った後、加算回路２４２に送出する。
【００４６】
さらに、親機２において、親機減衰量補正部２４の加算回路２４２は、親機送受信部２６を経由してフィードバックされた回線帰還音声信号Ｓ20aと、レベル調整回路２４１からの出力である逆特性信号Ｓ240a、Ｓ240b、Ｓ240cとを加算して親機ボイススイッチ２３に送出することにより、親機減衰量補正部２４を経由して信号処理された回線帰還音声信号Ｓ20aの信号レベルは、親機音声信号Ｓ20の信号レベルと比較して十分に小さいものとなるため、この回線帰還音声信号Ｓ20aが親機スピーカ２２から出力されることはなく、伝送路Ｌの２線間による回線エコーを低減することができ、親機２において良好な通話品質が確保される。
【００４７】
なお、親機２において、親機減衰量補正部２４の逆特性信号発生回路２４０を構成する周波数補正回路２４０ａにて生成する逆特性、位相補正回路２４０ｂにて遅延させる位相角、歪み補正回路２４０ｃにて発生させる歪みの歪み量及びレベル調整回路２４１における調整の割合は、伝送路Ｌの線間容量及び配線抵抗に対応して容易に可変することができるため、親機２の設置場所として、通話を成立させる多種・多様な環境下に対応可能となる。
【００４８】
なお、本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【００４９】
具体的に、本発明の実施例によれば、伝送路Ｌの２線間による回線エコーの影響を低減させて良好な通話品質を確保するために設けられる減衰量補正部及び回線検出部を、子機１及び親機２それぞれに備える態様について説明したが、この態様に限定されるものではない。例えば、設置場所等の多種・多様な環境下に対応させて、子機１又は親機２の何れかに備えることもでき、同様な効果が得られる。
【００５０】
また、本発明の実施例によれば、伝送路Ｌの２線間による回線エコーの影響を低減させて良好な通話品質を確保するために設けられる減衰量補正部１４、２４において、伝送路Ｌの線間容量及び配線抵抗に起因してマイク１１、２１に入力される音声信号の逆特性信号を生成するための逆特性信号発生回路１４０、２４０の構成として、当該音声信号が有する周波数特性のピークの逆特性を生成するための周波数補正回路１４０ａ、２４０ａ、当該音声信号の位相を遅延するための位相補正回路１４０ｂ、２４０ｂ及び当該音声信号に歪みを発生させるための歪み補正回路１４０ｃ、２４０ｃの３種の異なる当該補正回路を備える態様について説明したが、この態様に限定されるものではない。例えば、周波数補正回路１４０ａ、２４０ａ、位相補正回路１４０ｂ、２４０ｂ及び歪み補正回路１４０ｃ、２４０ｃのうち少なくとも何れか１の当該補正回路のみ備える場合であっても、同様な効果が得られ、この態様によれば、子機１及び親機２の構成を簡素化することができる。
【００５１】
また、本発明の実施例によれば、伝送路Ｌを経由して接続される子機１及び親機２のうち、子機１からの呼び出しを親機２にて報知して、この呼び出しに応答して通話を成立させる動作について説明したが、この態様に限定されるものではない。すなわち、親機２からの呼び出しを子機１にて報知して、この呼び出しに応答して通話を成立させる場合であっても、同様な効果が得られる。
【００５２】
さらに、本発明の実施例によれば、伝送路Ｌを経由して接続される子機１及び親機２のそれぞれに、呼出操作機能及び応答・終話操作機能としての操作部１０、２０を備える態様について説明したが、この態様に限定されるものではない。すなわち、子機１及び親機２のうち何れか１の機器、例えば、子機１の子機操作部１０にのみ呼出操作機能を備える一方、親機２の子機操作部２０には、応答・終話操作機能のみを備えることで、住戸玄関等の住戸外に設置される子機１からの呼び出しを住戸内に設置される親機２にて報知し、この呼び出しに応答して通話を成立させるようなインターホンシステムに適用することもでき、同様な効果が得られる。
【符号の説明】
【００５３】
１……子機
１１……子機マイク
１２……子機スピーカ
１３……子機ボイススイッチ
１４……子機減衰量補正部（減衰量補正部）
１４０……逆特性信号生成回路
１４０ａ……周波数補正回路
１４０ｂ……位相補正回路
１４０ｃ……歪み補正回路
１４１……レベル調整回路
１４２……加算回路
１５……子機回線検出部（回線検出部）
２……親機
２１……親機マイク
２２……親機スピーカ
２３……親機ボイススイッチ
２４……親機減衰量補正部（減衰量補正部）
２４０……逆特性信号生成回路
２４０ａ……周波数補正回路
２４０ｂ……位相補正回路
２４０ｃ……歪み補正回路
２４１……レベル調整回路
２４２……加算回路
２５……親機回線検出部（回線検出部）
Ｌ……伝送路
【図１】
0005391118.tif 000002
【図２】
0005391118.tif 000003